(57)【要約】【課題】災害時の非常用トイレの糞尿処理袋として、安全性を保持して便器へのセットがし易く、用便時の開口部が十分確保できて、使用感が良く、かつ、小型、軽量、携帯可能なコンパクトで安価な非常用糞尿処理袋の提供が求められていた。【解決手段】本考案は、糞尿袋の開口部から下方に切り込みを四か所設けて開口部に四片を設け、該四片を二つの便座片の間に挟んで三部材を熱溶着する。切れ込みの先端は切れ裂けや破損を防止するために丸み形状や熱処理を施した。本非常用糞尿処理袋は強度、安定性、美観に優れ、用便時の開口部面積と安全性を十分確保でき、生産工程の簡素化でコストを低減できた。又、便座シートは中央部で折り畳みできる構造にしたことで、嵩張らず携帯や備蓄に便利な態様で課題を解決できる。【選択図】図６
0003156424.tif 000002
【実用新案登録請求の範囲】
【請求項１】
紙にポリエチレンをラミネートした便座シート二枚の間にポリエチレン袋の開口部を熱溶着して保持する事を特徴とする非常用糞尿処理袋。
【請求項２】
前記、請求項１の非常用糞尿処理袋で、便座シートの尻穴部の一周の長さに対してポリエチレン袋の開口部の一周の長さが１．１〜１．３倍の大きさである事を特徴とする非常用糞尿処理袋。
【請求項３】
前記、請求項１又は２記載の非常用糞尿処理袋で、便座シートとポリエチレン袋の開口部との熱溶着部は袋の上部から下方に向かって１５ｍｍ〜４０ｍｍの切り込みを四か所有し、四枚の片から成る事を特徴とする非常用糞尿処理袋。
【請求項４】
前記、請求項３記載の非常用糞尿処理袋で、ポリエチレン袋の開口部に設けた切り込みは幅０．１ｍｍ〜３．０ｍｍ幅で、下方先端部が開裂防止手段を有する事を特徴とする非常用糞尿処理袋。
【請求項５】
前記、請求項１、２、３又は４記載の非常用糞尿処理袋で、便座シートは同形便座片を重ね接続する事で一つと成すが、同形便座片の一方はもう一方の便座片に比較して１／３〜１／５の厚さで成る事を特徴とする非常用糞尿処理袋。
【請求項６】
前記、請求項１、２、３、４又は５記載の非常用糞尿袋で、便座シートは中央部から二つに折り畳みできることを特徴とする非常用糞尿処理袋。
【考案の詳細な説明】
【技術分野】
【０００１】本考案は非常用糞尿処理袋に関する。
【背景技術】
【０００２】非常用トイレとして糞尿処理袋があるが、いわゆるポリ袋をポータブルトイレや介護用トイレ等にセットして使用するものが多い。この際、袋のみだとセットがし難くかったり、外れやすかったり、後処理も面倒である。便座シート付き糞尿処理袋は取り付けが簡単であるが、価格が高い為になかなか普及しにくいのが現実である。又、非常用トイレとしては、嵩が張ることや、便座椅子の運搬や保管が難しいので、普及が進んでいない状態である。【０００３】従来、非常用トイレとしての糞尿処理袋では、便座シートを処理袋に保持する事が難しいばかりでなく、袋の開口部を十分確保する為に製作工程が複雑になってコストが高くなった。そこで、災害時の非常用として、使い易く、強度が充分あって嵩張らず、安全性が高く、しかも折り畳み可能で軽量、安価な非常用糞尿袋の提供が望まれていた。
【考案の開示】
【考案が解決しようとする課題】
【０００４】本考案は災害時の非常用トイレの糞尿処理袋として、便器へのセットが容易い事。開口部を十分確保できて使用感が良いもの。しかも、製作が比較的容易でコストが低く、便座が折り畳み可能で安全で軽量、安価な非常用糞尿処理袋の提供にある。
【課題を解決するための手段】
【０００５】上記の課題を解決すべく本考案者らは鋭意検討した結果、上記の課題は次のような手段によって解決することがわかった。
即ち、便座シートの尻穴部一周の長さに対して開口部一周の長さが１．２〜１．４倍のポリエチレン袋の開口部に、尻穴部に合わせて切り込みを四か所設けた。この際、開口部上方から下方に切り込みを入れ、下方先端は丸みの形状や、熱処理することで裂けや破損を防止する態様にした。切り込みによって袋の開口部に四枚の片ができ、該四片は紙にポリエチレンをラミネートした便座シート二枚の間でポリエチレン同士が接触する状態に挟んで部材三点を熱溶着する。この際、袋開口部に設けた四枚片と便座シートのポリエチレン層を熱溶着するが、便座のポリエチレン層同士も熱溶着する。熱溶着は四枚のポリエチレン部を帯状に四か所熱溶着したものが好ましい。斯様に、熱溶着の工程だけで、強度、美観に優れ、使用時の開口部面積も十分確保できた。又、便座シートと糞尿袋の接続に接着剤や接続器具を使用せずに熱溶着する。素材構成にした事で、使用時の安心感や作業効率が大幅に向上しコストを抑制することが出来る。又、便座シートは臀部に接触する座面は厚く、反対面は薄くして材料の効率と熱溶着時の効率を図っている。更に、便座シートは中央部から折り畳みができる構造にすることで、上記課題を解決できることがわかった。
【考案の効果】
【０００６】本考案は、非常用の便座シート付き糞尿処理袋において、袋の開口面から下方に向かって切れ込みを四か所入れて四つの片を設けた。同形の二つの便座片は紙にポリエチレンをラミネートしたもので、二つの便座片のポリエチレンのラミネート層を合わせた間に先のポリエチレン袋に設けた四つの片を挟み込んで三者を熱溶着する。この際、同形の二つの便座片の紙厚は座面を厚く、裏面を薄くすることで、熱伝導の効率を上げると共に製造コストの低減にも寄与する。又、従来は開口部で十分な面積を確保するためには袋に襠を必要としたが、本考案では襠が無くても十分な開口部を確保できることが分かった。更に、便座シートを中央部で折り畳みできる構造にした事で、軽量、小寸法の糞尿処理袋となった。安価で省スペースの糞尿処理袋は、非常時への備蓄に好適でトイレ不足解消とトイレの快適性向上等に結びつけることが可能となった。
【考案を実施するための最良の形態】
【０００７】本考案は、非常用の便座シート付き糞尿処理袋で、便座の尻穴部一周の長さの１．２〜１．４倍の外周の長さが好ましく、ポリエチレン袋の開口面から下方に向って四か所に切れ目を入れて四枚の片を設けた。この際、切れ目の下方先端部は丸みを持つ形状や熱処理等により後処理の際に、特に裂けや破損を防止する構造である。同形の二つの便座片は少なくとも片面にポリエチレンをラミネートしてあり、この二つの便座のラミネート面を合わせた間に、ポリエチレン袋に設けた四片を外側に開いて挟み込み熱溶着して出来上がる。ポリエチレン袋の四片の切り込み部は便座シートの尻穴の形状が円の場合はどこでも良いが、直線部がある場合は角部にくるように配置する。この様に糞尿処理袋と便座シートをしっかりと簡単に保持できる事で、品質の安定、製造工程の効率化、コスト低減が図れた。更に、折り畳み可能で、軽量なことから携帯用としても使用できて、しかも用便時の開口部を十分確保できる態様である。
最終的な形態は図６の状態となる。
【実施例１】
【０００８】以下、本考案を図面を用いて詳細に説明する。
図１、図３は本考案の便座シート付き糞尿処理袋の部品の見取り図である。便座シート１と２は糞尿袋３を挟んで上下に、ポリエチレンラミネート層１−２，２−２が糞尿袋側になる様に配置する。糞尿袋３の開口部３−１から下方に四本の切れ込み３−４を入れる。図２、図３は切れ込み３−４の切れ込み先端３−５の拡大図で、切り裂け、破損防止のために丸みの形状や熱で固める処理を施してある。図２は先端が丸みを持った刃で切り取ったもので、図３は切り込みを入れた後に先端部を円に抜いたものである。この切れ込みで出来た四片３−２を便座シート１のポリエチレンラミネート層１−２に置き、この上から便座シート２のポリエチレンラミネート層２−２を四片３−２に重ね、便座シート２の紙層２−１上から熱と圧力を加えて部材三点を溶着する。握り手部１−４，２−４を設けて、取り扱いがし易い態様である。【０００９】図４は図１の工程を進行して便座シート１に糞尿袋３の開口部３−１に設けた四片３−２を配置し、糞尿袋底部３−３を便座シート２の尻穴部２−３を通過させている状態である。【００１０】図５は便座シート１と２の間に挟んだポリエチレン袋上部の四枚片の熱溶着部を示した。四枚片と便座シートは帯状の熱溶着で四か所が好ましく、便座シート同士の熱溶着部は帯状の熱溶着で２〜４か所が好ましい。【００１１】図６は図５の状態から熱溶着の工程を経て、反転させた糞尿処理袋の完成見取図である。【００１２】図７便座シートは中央折り曲げ部１−５，２−５で二つに折り曲げることができて小型化が出来た。更に、用便時の便座シートは使用感、美観も良く用便時の開口も十分であり、使用後は糞尿袋密閉用のシール部１−６を閉じる態様の見取図である。【００１３】図５は本考案の糞尿処理袋の便座シート中央折り曲げ部２−３を折り畳んだ状態であるが、これを非常用持ち出し袋３８０ｍｍ×３００ｍｍ×１００ｍｍに収納できる事が判った。パイプ式や段ボールの組み立て便器やポンチョ等と一緒に非常用持ち出し袋に収納すれば、避難用としての活用の場が大きく広がる事が期待できる事が判った。【００１４】図１から図６の本考案の材質と寸法について以下に説明する。
糞尿袋３は厚さ０．０１５ｍｍ〜０．０３５ｍｍで３００ｍｍ〜５５０ｍｍ×３００〜４５０ｍｍで、切り込み部３−４は糞尿袋の開口部から下方に幅１ｍｍ〜３ｍｍで１５ｍｍ〜４０ｍｍの長さが好ましく、最下方部は切り裂けや破損防止に丸い形状や熱処理する。材質はポリエチレンが適していて、さらに炭酸カルシウムやカーボン等で着色して内容物が見えないようにしたものが好ましい。便座シートは２８０ｍｍ〜３８０ｍｍ×２８０ｍｍ〜３８０ｍｍで、中央に概ね１８０ｍｍ〜２７０ｍｍの円空または楕円空等の尻穴部１−３を形成し、中央折り曲げ部１−５，２−５で二つ折りの構造にする。材質は上質紙やクラフト紙等にポリエチレンのラミネート層を０．０１５ｍｍ〜０．０２５ｍｍの厚さで保持するのが好ましい態様である。
【産業上の利用可能性】
【００１５】震災などで被災した場合には水道や電気など、いわゆるライフラインが遮断される事が想定される。特に、都市部では非常時の排泄物の処理が深刻な問題である。このような状況のために、安価で軽量、コンパクトで嵩張らず、折り畳み糞尿処理袋の提供は利便性だけでなく、トイレ不足解消のために省スペースで備蓄できるので普及が見込める。また、非常持ち出し袋の中に入れて、携帯用として備えることができるので利用範囲が広がった。
【図面の簡単な説明】
【００１６】
【図１】非常用糞尿処理袋の部材見取り図
【図２】糞尿袋の開口部に設けた切り込み部の拡大立面図と見取り図
【図３】糞尿袋の開口部に設けた切り込み部の立面図
【図４】図１の状態から同形の便座片の間に糞尿袋の開口部に設けた四枚の片を挟んで、接合する直前の見取り図
【図５】非常用糞尿処理袋の熱溶着部の見取り図
【図６】便座付き糞尿処理袋の完成後の見取り図
【図７】便座付き糞尿処理袋の便座シート部を中央部から二つ折した立面図
【符号の説明】
【００１７】１        ：便座シート座面
１−１    ：便座シート紙層
１−２    ：便座シートポリエチレンラミネート層
１−３    ：便座シート尻穴部
１−４    ：握り手部
１−５    ：便座シート中央折り曲げ部
１−６    ：糞尿処理袋密閉用シール部
２        ：便座シート裏面
２−１    ：便座シート紙層
２−２    ；便座シートポリエチレンラミネート層
２−３    ：便座シート尻穴部
２−４    ：握り手部
２−５    ：便座シート中央折り曲げ部
３        ：糞尿袋
３−１    ：糞尿袋開口部
３−２    ：四枚の片
３−３    ：糞尿袋の底部
３−４    ：切り込み
３−５    ：切り込み先端部
４−１    ：ポリエチレン袋の四枚片と便座シートの熱溶着部
４−２    ：便座シート同士の熱溶着部
【図１】
0003156424.tif 000003
【図２】
0003156424.tif 000004
【図３】
0003156424.tif 000005
【図４】
0003156424.tif 000006
【図５】
0003156424.tif 000007
【図６】
0003156424.tif 000008
【図７】
0003156424.tif 000009